(57)【要約】【課題】漏油防止の成否が、施工時の漏油量、ケレン作業の程度、シーリング剤の塗り付けの程度に左右されることなく、誰もが簡単に油の漏れ出しを防止でき、また、全体の作業時間を極めて短くすることのできる、変圧器等の油入りの機器における漏油防止具と、この漏油防止具を用いた漏油防止方法を提供する。【解決手段】本発明に係る変圧器等の油入りの機器における漏油防止具は、フランジ接合部におけるボルトの軸部と、軸部に螺合しているナットを覆うように配置され、ナットの周囲を取り囲む開口部を有する被覆カップにより構成され、この被覆カップは、周壁に複数のセルフタッピングビスを備えている。また、複数のセルフタッピングビスは、被覆カップの周壁に段違い状態に取り付けられており、それぞれのセルフタッピングビスの先端部は、ボルトの軸部の雄ねじ部分に係合している。【選択図】図１
2010165945.tif 000002
【特許請求の範囲】
【請求項１】
変圧器等の油入りの機器の、ボルトとナットを使用して接合している二部材のフランジ接合部におけるボルトとナットの締結部分から、油が漏れ出す事態の発生を防止するもので、
フランジ接合部におけるボルトの軸部と、軸部に螺合しているナットを覆うように配置され、ナットの周囲を取り囲む開口部を有する被覆カップにより構成され、この被覆カップは、周壁に複数のセルフタッピングビスを備えていることを特徴とする、変圧器等の油入りの機器における漏油防止具。
【請求項２】
複数のセルフタッピングビスは、被覆カップの周壁に段違い状態に取り付けられており、それぞれのセルフタッピングビスの先端部は、ボルトの軸部の雄ねじ部分に係合している請求項１に記載の変圧器等の油入りの機器における漏油防止具。
【請求項３】
変圧器等の油入りの機器の、ボルトとナットを使用して接合している二部材のフランジ接合部におけるボルトとナットの締結部分から、油が漏れ出す事態の発生を防止するもので、
フランジ接合部におけるボルトの軸部と、軸部に螺合しているナットを覆うように被覆カップを配置し、被覆カップの周壁に段違い状態に取り付けられているセルフタッピングビスの先端部を、ボルトの軸部の雄ねじ部分に当接させる工程と、被覆カップを回転させ、セルフタッピングビスの先端部を軸部の雄ねじ部分に沿って移動させて、被覆カップの開口部をフランジ接合部に近付ける工程と、被覆カップをさらに回転させ、被覆カップの開口部を、フランジ接合部に押し付ける工程と、被覆カップの開口部とフランジ接合部の圧接部分に、シーリング剤を塗り付ける工程から成ることを特徴とする、変圧器等の油入りの機器における漏油防止方法。
【請求項４】
被覆カップの開口部を、フランジ接合部に押し付ける工程においては、複数のセルフタッピングビスの撓みを利用して、被覆カップの開口部がフランジ接合部に圧接している状態が維持されている請求項３に記載の変圧器等の油入りの機器における漏油防止方法。
【発明の詳細な説明】
【技術分野】
【０００１】
変圧器等の油入りの機器においては、ボルトとナットを使用して接合している二部材のフランジ接合部が種々存在する。本発明は、このような二部材のフランジ接合部におけるボルトとナットの締結部分から、油が漏れ出す事態の発生を確実に防止した、変圧器等の油入りの機器における漏油防止具と、この漏油防止具を用いた漏油防止方法に関するものである。
【背景技術】
【０００２】
従来より、発電所や変電所から送電される電力の電圧を変換するために、変圧器が使用されている。
【０００３】
変圧器は、交流電力の電圧の高さを、電磁誘導を利用して変換するものである。この変圧器本体の内部には、例えば、磁心とコイルが設置されており、これらの部材の絶縁を行なうために、変圧器本体の内部に絶縁油が封入されている。
【０００４】
この油は、所定のパッキング部材等を使用することにより、変圧器本体の外へ漏れ出さないようにされている。
【０００５】
しかし、変圧器の運転中に発生するジュール熱（損失）等を要因としてパッキング部材等が劣化してしまい、変圧器本体の内部に封入している油が漏れ出す事態が生じている。
【０００６】
また、変圧器等の油入りの機器においては、特に、二部材のフランジ接合部におけるボルトとナットの締結部分から、油が漏れ出し易くなっている。  
【０００７】
そして、変圧器等の油入りの機器において、このような油が漏れ出す事態が生じたときには、該当する部分にシーリング剤を塗布する措置が採られている。
【０００８】
この措置は、例えば、図７に示すように、二部材のフランジ接合部ＦにおけるボルトＢとナットＮの締結部分において、ボルトＢの軸部Ｇと、軸部Ｇに螺合しているナットＮの全体にシーリング剤Ｓを塗り付けて、ボルトＢの軸部ＧとナットＮをシーリング剤Ｓにより包み込んでしまうものである。
【０００９】
この他、変圧器等の油入りの機器において、このような油が漏れ出す事態が生じたときの措置として、例えば、特許文献１に開示されているような変圧器等の漏油防止方法も提案されている。
【００１０】
この漏油防止方法は、まず、全体のケレン作業を行ってから、図８（ａ）に示すように、二部材のフランジ接合部Ｆと、二部材のフランジ接合部Ｆを締結するボルトＢとナットＮの全体に第一シーリング剤Ｓ１を塗布し、ボルトＢの頭部とナットＮに、それぞれキャップＣを被せる。このとき、キャップＣ内にも第一シーリング剤Ｓ1を詰めた状態とする。
【００１１】
次に、図８（ｂ）に示すように、ばね力を有する金属製等の挟持手段Ｋにより、両キャップＣを挟み付け、第一シーリング剤Ｓ1が固化するまでその状態を維持する。
【００１２】
そして、第一シーリング剤Ｓ1が固化したときは、図８（ｃ）に示すように、挟持手段Ｋを取り外してから、フランジ接合部Ｆと、キャップＣの周囲に第二シーリング剤Ｓ２を塗布するのである。
【先行技術文献】
【特許文献】
【００１３】
【特許文献１】特開平８−１１１３１８号公報
【発明の概要】
【発明が解決しようとする課題】
【００１４】
しかしながら、前記した図７に示す、ボルトＢの軸部Ｇと軸部Ｇに螺合しているナットＮの全体にシーリング剤Ｓを塗り付ける措置においては、シーリング剤Ｓが固まるまでに所定の時間を要することから、漏れ出している油の量が多いときには、シーリング剤Ｓが固まるまでの間に、塗り付けているシーリング剤Ｓに油道が形成されてしまい、油の漏れ出しを充分に防止することができなかった。
【００１５】
また、図７に示すシーリング剤Ｓを塗り付ける措置は、油が漏れ出している部分とその周囲に存在する塗膜や錆をきれいに取り除くケレン作業を行ってから、シーリング剤Ｓを塗り付けるものであるが、このケレン作業が充分に行われていない場合にも、油の漏れ出しを充分に防止することができなかった。
【００１６】
さらに、シーリング剤Ｓの取り扱いにも熟練を要し、ボルトＢの軸部ＧとナットＮの全体にバランス良くシーリング剤Ｓを塗り付けていない場合にも、油の漏れ出しを充分に防止することができなかった。
【００１７】
このように、図７に示すシーリング剤Ｓを塗り付ける措置においては、漏油防止の成否が、施工時の漏油量、ケレン作業の程度、シーリング剤Ｓの塗り付けの程度に大きく左右されるため、誰もが簡単に油の漏れ出しを防止できるものではなかった。
【００１８】
加えて、シーリング剤Ｓを塗り付けた直後においては、そのシーリング剤Ｓの外観から漏油防止の成否を視認・確認することができないため、シーリング剤Ｓの内部において施工不良が存在すると、短期間のうちに油が漏れ出す事態が再発していた。
【００１９】
一方、特許文献１に開示されている変圧器等の漏油防止方法（図８参照）においても、漏油防止の成否が、ケレン作業の程度、シーリング剤Ｓ１・Ｓ２の塗り付けの程度に大きく左右されるため、図７に示すシーリング剤Ｓを塗り付ける措置と同様の弊害が生じてしまう。
【００２０】
さらに、特許文献１に開示されている変圧器等の漏油防止方法（図８参照）では、ばね力を有する金属製等の挟持手段Ｋにより、両キャップＣを挟み付け、第一シーリング剤Ｓ１が固化するまでその状態を維持するものであるが、個々の変圧器等の油入りの機器の種類・大きさに応じて、寸法の異なる複数種類の挟持手段Ｋを予め用意し、好ましい大きさの挟持手段Ｋを適宜選択して使用しなければならないため、作業が煩雑となる。
【００２１】
また、寸法の異なる金属製の挟持手段Ｋを複数製作しなければならず、コスト高にもなり易い。
【００２２】
さらに、挟持手段Ｋにより両キャップＣを挟み付け、第一シーリング剤Ｓ１が固化するまでその状態を維持することから、全体の作業時間が長くなっていた。
【００２３】
そこで、本発明は如上のような従来存した諸事情に鑑み創出されたもので、漏油防止の成否が、施工時の漏油量、ケレン作業の程度、シーリング剤の塗り付けの程度に左右されることなく、誰もが簡単に油の漏れ出しを防止でき、また、全体の作業時間を極めて短くすることのできる、変圧器等の油入りの機器における漏油防止具と、この漏油防止具を用いた漏油防止方法を提供することを目的とする。
【課題を解決するための手段】
【００２４】
本発明に係る変圧器等の油入りの機器における漏油防止具は、変圧器等の油入りの機器の、ボルトとナットを使用して接合している二部材のフランジ接合部におけるボルトとナットの締結部分から、油が漏れ出す事態の発生を防止するもので、
フランジ接合部におけるボルトの軸部と、軸部に螺合しているナットを覆うように配置され、ナットの周囲を取り囲む開口部を有する被覆カップにより構成され、この被覆カップは、周壁に複数のセルフタッピングビスを備えていることで、上述した課題を解決した。
【００２５】
また、複数のセルフタッピングビスは、被覆カップの周壁に段違い状態に取り付けられており、それぞれのセルフタッピングビスの先端部は、ボルトの軸部の雄ねじ部分に係合していることで、同じく上述した課題を解決した。
【００２６】
一方、本発明に係る変圧器等の油入りの機器における漏油防止方法は、変圧器等の油入りの機器の、ボルトとナットを使用して接合している二部材のフランジ接合部におけるボルトとナットの締結部分から、油が漏れ出す事態の発生を防止するもので、
フランジ接合部におけるボルトの軸部と、軸部に螺合しているナットを覆うように被覆カップを配置し、被覆カップの周壁に段違い状態に取り付けられているセルフタッピングビスの先端部を、ボルトの軸部の雄ねじ部分に当接させる工程と、被覆カップを回転させ、セルフタッピングビスの先端部を軸部の雄ねじ部分に沿って移動させて、被覆カップの開口部をフランジ接合部に近付ける工程と、被覆カップをさらに回転させ、被覆カップの開口部を、フランジ接合部に押し付ける工程と、被覆カップの開口部とフランジ接合部の圧接部分に、シーリング剤を塗り付ける工程から成ることで、同じく上述した課題を解決した。
【００２７】
また、被覆カップの開口部を、フランジ接合部に押し付ける工程においては、複数のセルフタッピングビスの撓みを利用して、被覆カップの開口部がフランジ接合部に圧接している状態が維持されていることで、同じく上述した課題を解決した。
【発明の効果】
【００２８】
本発明に係る変圧器等の油入りの機器における漏油防止具は、変圧器等の油入りの機器の、ボルトとナットを使用して接合している二部材のフランジ接合部におけるボルトとナットの締結部分から、油が漏れ出す事態の発生を防止するもので、
フランジ接合部におけるボルトの軸部と、軸部に螺合しているナットを覆うように配置され、ナットの周囲を取り囲む開口部を有する被覆カップにより構成され、この被覆カップは、周壁に複数のセルフタッピングビスを備えていることから、フランジ接合部におけるボルトの軸部側において、油の漏れ出しを確実に防止できる。
【００２９】
具体的には、ボルトの軸部に係合するセルフタッピングビスにより、被覆カップがボルトの軸部と、軸部に螺合しているナットを覆うように配置され、被覆カップの開口部がフランジ接合部に圧接するため、ボルトの軸部近辺から油が漏れ出した場合であっても、この油を被覆カップ内に溜めることができる。
【００３０】
また、最終的には、被覆カップの開口部とフランジ接合部の圧接部分に、シーリング剤を塗り付ける処理を行うが、漏れ出した油を被覆カップ内に溜めることから、シーリング剤が充分に固まるまでの時間を確保できるのである。
【００３１】
さらに、複数のセルフタッピングビスは、被覆カップの周壁に段違い状態に取り付けられていることから、個々のセルフタッピングビスの先端部を、ボルトの軸部における先端部分の周囲に位置している雄ねじ部分に宛がい、被覆カップを若干回転させたときは、個々のセルフタッピングビスの先端部を、雄ねじ部分に簡単に係合させることができる。この際に、被覆カップが傾いてしまう事態の発生も防止できる。
【００３２】
そして、複数のセルフタッピングビスの先端部は、ボルトの軸部の雄ねじ部分に係合していることから、被覆カップを所定の方向に回転させることにより、セルフタッピングビスを軸部の雄ねじ部分に沿って移動させて、被覆カップの開口部をフランジ接合部に近付けて、開口部をフランジ接合部に圧接することができる。
【００３３】
一方、本発明に係る変圧器等の油入りの機器における漏油防止方法はフランジ接合部におけるボルトの軸部と、軸部に螺合しているナットを覆うように被覆カップを配置し、被覆カップの周壁に段違い状態に取り付けられているセルフタッピングビスの先端部を、ボルトの軸部の雄ねじ部分に当接させる工程と、被覆カップを回転させ、セルフタッピングビスの先端部を軸部の雄ねじ部分に沿って移動させて、被覆カップの開口部をフランジ接合部に近付ける工程と、被覆カップをさらに回転させ、被覆カップの開口部を、フランジ接合部に押し付ける工程と、被覆カップの開口部とフランジ接合部の圧接部分に、シーリング剤を塗り付ける工程から成ることから、比較的に簡易な作業により、誰もが簡単に油の漏れ出しを防止できる。
【００３４】
具体的には、被覆カップを回転させ、セルフタッピングビスの先端部を軸部の雄ねじ部分に沿って移動させて、被覆カップの開口部をフランジ接合部に近付ける工程と、被覆カップをさらに回転させ、被覆カップの開口部を、フランジ接合部に押し付ける工程と、被覆カップの開口部とフランジ接合部の圧接部分に、シーリング剤を塗り付ける工程を有することから、ボルトの軸部近辺から油が漏れ出した場合であっても、この油を被覆カップ内に溜めて、シーリング剤が充分に固まるまでの時間を確保できるのである。
【００３５】
また、被覆カップの開口部を、フランジ接合部に押し付ける工程においては、複数のセルフタッピングビスの撓みを利用して、被覆カップの開口部がフランジ接合部に圧接している状態が維持されていることから、ボルトの軸部近辺から油が漏れ出した場合であっても、この油を被覆カップ内に確実に溜めることができる。
【００３６】
この他、本発明に係る変圧器等の油入りの機器における漏油防止具と、この漏油防止具を用いた漏油防止方法によれば、ボルトの軸部近辺から油が漏れ出した場合であっても、この油を被覆カップ内に溜めて、シーリング剤が充分に固まるまでの時間を確保できるので、塗り付けているシーリング剤に油道が形成されてしまうような事態の発生を阻止して、油の漏れ出しを確実に防止することができる。
【００３７】
また、本発明に係る変圧器等の油入りの機器における漏油防止具と、この漏油防止具を用いた漏油防止方法によれば、前もって行うケレン作業が、フランジ接合部における、被覆カップの開口部を押し付ける部分にだけ行えば足りることとなる。そのため、限定された部分について集中してケレン作業を行うこととなり、ケレン作業の精度が向上して施工不良が生じ難くなるため、油の漏れ出しを確実に防止することができる。
【００３８】
さらに、シーリング剤を塗り付ける措置に熟練を要することがなく、誰もが簡単に油の漏れ出しを確実に防止することができる。
【００３９】
また、本発明に係る変圧器等の油入りの機器における漏油防止具と、この漏油防止具を用いた漏油防止方法によれば、ボルトの軸部近辺から油が漏れ出した場合であっても、この油を被覆カップ内に留めて、シーリング剤が充分に固まるまでの時間を確保しているので、漏油防止の成否が、施工時の漏油量、ケレン作業の程度、シーリング剤の塗り付けの程度に左右されることがなく、誰もが簡単に油の漏れ出しを防止できる。
【００４０】
加えて、シーリング剤が確実に固まるので、油が漏れ出す事態の再発も、長期に渡り防止できる。
【００４１】
また、作業自体は、シーリング剤を塗り付けることで終了し、シーリング剤の固まりを確認する必要もないため、全体の作業時間を極めて短くすることができる。
【図面の簡単な説明】
【００４２】
【図１】漏油防止具の構成を示すもので、フランジ接合部におけるボルトの軸部と、軸部に螺合しているボルトを覆うように被覆カップを配置する状態を示す分解斜視図である。
【図２】漏油防止具の構成を示すもので、（ａ）はフランジ接合部におけるボルトの軸部と、軸部に螺合しているボルトを覆うように被覆カップを配置し、個々のセルフタッピングビスの先端部を、ボルトの軸部における雄ねじ部分に宛がっている状態を示す斜視図、（ｂ）は被覆カップを回転させ、被覆カップの開口部をフランジ接合部に押し付けて圧接している状態を示す斜視図である。
【図３】漏油防止具の構成を示すもので、（ａ）はフランジ接合部におけるボルトの軸部と、軸部に螺合しているボルトを覆うように被覆カップを配置する状態を示す分解した一部断面図、（ｂ）は被覆カップを回転させ、被覆カップの開口部をフランジ接合部に押し付けて圧接している状態を示す一部断面図である。
【図４】漏油防止具の構成を示すもので、（ａ）は開口部を有し、円筒体部分に複数のセルフタッピングビスを備えている被覆カップの形状を示す斜視図、（ｂ）は円筒体部分に複数の小孔を設け、それぞれの小孔にセルフタッピングビスを取り付ける状態を示す平断面図である。
【図５】漏油防止具の構成を示すもので、（ａ）は開口部を有し、円筒体部分に複数のセルフタッピングビスを備えている被覆カップの形状を示す側断面図、（ｂ）は（ａ）に示すセルフタッピングビスが係合するボルトの軸部に形成された雄ねじ部分の形状を示す側面図である。
【図６】漏油防止具の構成を示すもので、開口部の端面に凹部を設け、この凹部にパッキング部材を固定している被覆カップの形状を示す斜視図である。
【図７】二部材のフランジ接合部におけるボルトとナットの締結部分において、ボルトの軸部と、軸部に螺合しているナットの全体にシーリング剤を塗り付けて、ボルトの軸部とナットをシーリング剤により包み込んでしまう従来の措置を示す側面図である。
【図８】特許文献１に開示されている措置を示すもので、（ａ）は二部材のフランジ接合部と、二部材のフランジ接合部を締結するボルトとナットの全体に第一シーリング剤を塗布し、ボルトの頭部とナットに、それぞれキャップを被せている状態の側断面図、（ｂ）はばね力を有する金属製等の挟持手段により、両キャップを挟み付け、第一シーリング剤が固化するまでその状態を維持している状態の側断面図、（ｃ）は挟持手段を取り外してから、フランジ接合部と、キャップの周囲に第二シーリング剤を塗布した状態の側断面図である。
【発明を実施するための形態】
【００４３】
以下に、本発明を実施するための形態を、図面を参照して説明する。
【００４４】
本発明に係る変圧器等の油入りの機器における漏油防止具は、変圧器等の油入りの機器の、ボルトＢとナットＮを使用して接合している二部材のフランジ接合部ＦにおけるボルトＢとナットＮの締結部分から、油が漏れ出す事態の発生を防止するものである。
【００４５】
具体的には、フランジ接合部ＦにおけるボルトＢとナットＮの締結部分において、図１乃至図３に示すように、ボルトＢの軸部１側に取り付けて、油が漏れ出す事態の発生を防止するものである。
【００４６】
ボルトＢは、所定の頭部２と軸部１を備えており、この軸部１にナットＮを螺合させるものが一般的であるが、本発明に係る変圧器等の油入りの機器における漏油防止具は、ボルトＢの軸部１側に取り付けるものである。
【００４７】
この漏油防止具は、図１・図４（ａ）に示すように、被覆カップ３単体により構成されている。
【００４８】
この被覆カップ３は、図４（ａ）・図５（ａ）に示すように、所定径の周壁により円筒体部分４を形成し、この円筒体部分４の一端側が開口部５となっている。また、円筒体部分４の他端側は、円形板6により閉鎖されている。
【００４９】
さらに、被覆カップ３は、図４（ｂ）に示すように、円筒体部分４を形成している周壁に、等間隔に３個の小孔７を設けており、それぞれの小孔７にセルフタッピングビス８を備えている。
【００５０】
この被覆カップ３は、図２（ｂ）・図３（ｂ）に示すように、フランジ接合部ＦにおけるボルトＢの軸部１と、軸部１に螺合しているナットＮを覆うように配置される。また、被覆カップ３の開口部５は、ナットＮの周囲を取り囲むように配置される。
【００５１】
被覆カップ３の円筒体部分４に等間隔に取り付けられている３個のセルフタッピングビス８は、いずれもその先端部が、円筒体部分４の中央を向くように配置されている。
【００５２】
また、３個のセルフタッピングビス８は、図５（ａ）に示すように、隣り合うセルフタッピングビス８同士の先端部が、若干段違い状態になるように円筒体部分４に取り付けられている。
【００５３】
個々のセルフタッピングビス８の先端部は、図２（ａ）（ｂ）に示すように、ボルトＢの軸部１の雄ねじ部分Ｍに係合するものである。より具体的には、セルフタッピングビス８の先端部は、雄ねじ部分Ｍを形成する各山の間に位置する谷の部分に係合する。
【００５４】
そして、図５（ｂ）に示すように、雄ねじ部分Ｍを形成する各山において、谷と谷の間の距離が３ｍｍであることから、隣り合うセルフタッピングビス８同士の先端部を、１ｍｍの段違い状態にすることにより、３個のセルフタッピングビス８の先端部が、雄ねじ部分Ｍを形成する各山の間に位置する谷の部分に好ましい状態で係合できるのである。
【００５５】
以下に、漏油防止具を用いた、漏油防止方法を詳述する。
【００５６】
（フランジ接合部ＦにおけるボルトＢの軸部１と、軸部１に螺合しているボルトＢを覆うように被覆カップ３を配置し、被覆カップ３の周壁に段違い状態に取り付けられているセルフタッピングビス８の先端部を、ボルトＢの軸部１の雄ねじ部分Ｍに当接させる工程）
まず、図１・図２（ａ）に示すように、フランジ接合部ＦにおけるボルトＢの軸部１と、軸部１に螺合しているボルトＢを覆うように被覆カップ３を配置する。
【００５７】
このとき、個々のセルフタッピングビス８の先端部を、ボルトＢの軸部１における先端部分の周囲に位置している雄ねじ部分Ｍに宛がい、被覆カップ３を若干回転させて、図２（ａ）に示すように、個々のセルフタッピングビス８の先端部を、雄ねじ部分Ｍを形成する各山の間に位置する谷の部分にそれぞれ係合させる。
【００５８】
また、図１・図３（ａ）に示すように、必要に応じて、被覆カップ３の開口部５とフランジ接合部Ｆの間に、シーリング剤Ｓを両面に塗り付けているパッキング部材９を介在させる。
【００５９】
（被覆カップ３を回転させ、セルフタッピングビス８の先端部を軸部の雄ねじ部分Ｍに沿って移動させて、被覆カップ３の開口部５をフランジ接合部Ｆに近付ける工程）
次に、被覆カップ３を回転させ、セルフタッピングビス８の先端部を軸部１の雄ねじ部分Ｍに沿って移動させて、被覆カップ３の開口部５をフランジ接合部Ｆに近付けていく。
【００６０】
（被覆カップ３をさらに回転させ、被覆カップ３の開口部５を、フランジ接合部Ｆに押し付ける工程）
次に、被覆カップ３をさらに回転させ、図２（ｂ）・図３（ｂ）に示すように、被覆カップ３の開口部５を、フランジ接合部Ｆに押し付けていく。
【００６１】
そして、被覆カップ３の開口部５を、フランジ接合部Ｆに押し付けた際には、ボルトＢの雄ねじ部分Ｍに係合している複数のセルフタッピングビス８における軸部分が、被覆カップ３の開口部５方向に向けて若干撓んだ状態となる。
【００６２】
すなわち、被覆カップ３を回転させ、ボルトＢの軸部１に沿って被覆カップ３を移動させて、フランジ接合部Ｆに被覆カップ３の開口部５が当接している状態において、さらに被覆カップ３を回転させる。
【００６３】
すると、被覆カップ３の円筒体部分４に配置されているセルフタッピングビス８は、軸部分の基端部（頭部）側が円筒体部分４に取り付けられて、自身の移動が阻止されている状態において、軸部分の先端部が、ボルトＢの雄ねじ部分Ｍに沿って強制的に移動させられ、セルフタッピングビス８の軸部分が、被覆カップ３の開口部５方向に向けて若干撓んだ状態となる。
【００６４】
このように、複数のセルフタッピングビス８の軸部分が撓むと、それぞれのセルフタッピングビス８の軸部分には、元の水平の状態に戻ろうとする作用が生じて、被覆カップ３の開口部５がフランジ接合部Ｆに圧接した状態が維持されるのである。
【００６５】
（被覆カップ３の開口部５とフランジ接合部Ｆの圧接部分に、シーリング剤Ｓを塗り付ける工程）
最後に、図３（ｂ）に示すように、被覆カップ３の開口部５とフランジ接合部Ｆの圧接部分の外周に、シーリング剤Ｓを塗り付けて施工を終了する。
【００６６】
尚、図３（ａ）（ｂ）に示すように、円筒体部分４にセルフタッピングビス８を取り付けている被覆カップ３において、セルフタッピングビス８が位置している円筒体部分４の内周面と外周面のそれぞれにシーリング剤Ｓを塗り付けておくと、漏油防止具としてより好ましいものとなる。
【００６７】
また、図６に示すように、フランジ接合部Ｆに押し付けて圧接している状態が維持される被覆カップ３の開口部５の端面に所定の凹部を設け、この凹部にパッキング部材１０を固定しておくと、漏油防止具としての施工性が向上するものとなる。
【産業上の利用可能性】
【００６８】
本発明に係る変圧器等の油入りの機器における漏油防止具と、この漏油防止具を用いた漏油防止方法は、変圧器から油が漏れ出してしまう事態の発生を防止することの他に、種々の油入りの機器において油が漏れ出してしまう事態の発生を防止するものとして、幅広く利用することができる。
【符号の説明】
【００６９】
Ｂ…ボルト
Ｎ…ナット
Ｇ…軸部
Ｓ…シーリング剤
Ｆ…フランジ接合部
Ｃ…キャップ
Ｋ…挟持手段
Ｓ１…第一シーリング剤
Ｓ２…第二シーリング剤
Ｍ…雄ねじ部分
１…軸部
２…頭部
３…被覆カップ
４…円筒体部分
５…開口部
６…円形板
７…小孔
８…セルフタッピングビス
９…パッキング部材
１０…パッキング部材
【図１】
2010165945.tif 000003
【図２】
2010165945.tif 000004
【図３】
2010165945.tif 000005
【図４】
2010165945.tif 000006
【図５】
2010165945.tif 000007
【図６】
2010165945.tif 000008
【図７】
2010165945.tif 000009
【図８】
2010165945.tif 000010